(57)【要約】      （修正有）【課題】治療薬などの物質を患者に注射するための自己注射用器具を提供する。【解決手段】自己注射用器具１００は基部１１０とシュラウド部材１２０とを備え、基部は基端部と、先端部と、外筒係合部１１２とを備える。外筒係合部は、針の先端部が前記基部の先端部から第１の距離だけ延びるように、注射器外筒を少なくとも一部受け入れる空隙１１２を画定する。シュラウド部材は基端部と先端部とを備える。基端部は基部に移動可能に連結している。シュラウド部材は完全に延出した位置と完全に後退した位置との間を移動可能である。完全に延出した位置では、シュラウド部材は前記基部の先端部から延出した距離である。前記完全に後退した位置では、前記シュラウド部材は前記基部の先端部から後退した距離である。延出した距離は第１の距離以上であり、後退した距離は第１の距離未満である。【選択図】図１
2018187427.tif 000002
【特許請求の範囲】
【請求項１】
第１の端部と第２の端部とを有する外筒と、前記第１の端部に近接する肩部と、前記外筒と流体連通し、基端部と先端部とを有し、前記外筒の第１の端部から延びる針と、前記外筒の第２の端部に近接して配置されているフランジと、前記針を覆い、一端が前記肩部に近接して配置されているキャップと、前記針を通して有益な薬剤を排出するように前記外筒内を移動可能なプランジャとを備える注射器から有益な薬剤を注射することを補助する自己注射用器具であって：
基端部と、先端部と、外筒係合部とを有する基部であって、前記外筒係合部が長軸を有する空隙を画定し、前記針の先端部が前記基部の先端部から第１の距離延びている状態で前記外筒の少なくとも一部を受け入れるように前記基部の基端部と先端部との間に配置されている基部と；
基端部と先端部とを有するシュラウド部材であって、前記シュラウド部材の基端部が前記基部に移動可能に連結するシュラウド部材であり、前記シュラウド部材の先端部が前記基部の先端部から延出した距離である完全に延出した位置と、前記シュラウド部材の先端部が前記基部の先端部から後退した距離である完全に後退した位置との間を移動可能なシュラウド部材と；
を備え、
前記延出した距離が前記第１の距離以上であり、前記後退した距離が前記第１の距離未満である自己注射用器具。
【請求項２】
前記シュラウド部材が前記延出位置の方に付勢されている、請求項１に記載の自己注射用器具。
【請求項３】
前記シュラウド部材の先端部が、中に切り欠きを有する実質的に平面状の係合面を備える、請求項１に記載の自己注射用器具。
【請求項４】
前記シュラウド部材の先端部が、中に貫通孔を有する実質的に平面状の係合面を備える、請求項１に記載の自己注射用器具。
【請求項５】
前記シュラウド部材が、前記シュラウド部材の基端部と先端部との間に配置されている管状部をさらに備える、請求項１に記載の自己注射用器具。
【請求項６】
前記基部が、前記フランジの少なくとも一部を受け入れ、前記長軸に沿った前記外筒の移動を抑制するスロットを画定する少なくとも１つのフランジ係合部をさらに備える、請求項１に記載の自己注射用器具。
【請求項７】
前記基部がハウジングを備え、前記自己注射用器具が、前記基部に蝶着し、前記基部に対して開放位置と閉鎖位置との間を回動可能なカバーをさらに備える、請求項６に記載の自己注射用器具。
【請求項８】
前記外筒係合部が前記ハウジングに対して移動可能であり、前記外筒係合部が前記外筒の第１の端部の少なくとも一部を受け入れるサイズに形成された開口部を有するキャップ係合部をさらに備え、前記キャップ係合部が前記肩部に近接する前記キャップの端部に係合するように位置決めされ、前記キャップ係合部が前記キャップを前記外筒から離すように前記ハウジングに対して移動可能である、請求項７に記載の自己注射用器具。
【請求項９】
前記キャップ係合部がＵ字形切り欠きを備える、請求項８に記載の自己注射用器具。
【請求項１０】
前記ハウジングが底部と、前記底部から延びる少なくとも１つの側壁とを備え、前記カバーが前記ハウジングに前記少なくとも１つの側壁の少なくとも１つに近接して結合している、請求項７に記載の自己注射用器具。
【請求項１１】
前記少なくとも１つの側壁が実質的に丸い形状を有する、請求項１０に記載の自己注射用器具。
【請求項１２】
前記ハウジングが、前記底部から延び、前記少なくとも１つの側壁に垂直に配置されている基端面を備える、請求項１０に記載の自己注射用器具。
【請求項１３】
前記基端面が開口部を備え、前記外筒の少なくとも一部が前記外筒係合空隙内に配置されるとき、前記開口部を通して前記プランジャの少なくとも一部を受け入れる、請求項１２に記載の自己注射用器具。
【請求項１４】
前記カバーは、前記カバーが前記閉鎖位置にあるとき、前記外筒に係合する少なくとも１つの突部を有する、請求項７に記載の自己注射用器具。
【請求項１５】
前記カバーが前記基部に対して前記開放位置から前記閉鎖位置に回動するとき、前記キャップ係合部が前記少なくとも１つのフランジ係合部に対して移動可能である、請求項８に記載の自己注射用器具。
【請求項１６】
前記カバーが前記閉鎖位置に移動するとき、前記注射器が係合状態に維持される、請求項７に記載の自己注射用器具。
【請求項１７】
前記フランジを受け入れる凹部と、前記フランジ係合部が係合するように構成された少なくとも１つの翼要素とを有するフランジアダプタをさらに備える、請求項６に記載の自己注射用器具。
【請求項１８】
前記基部は、前記カバーが前記基部に対して前記開放位置から前記閉鎖位置に回動するとき、非係止位置と係止位置との間を移動可能な係止機構をさらに備え；
前記シュラウドの基端部が少なくとも１つの係止突部を備え；
前記係止機構が前記係止位置にあり、前記シュラウド部材が前記後退位置にあるとき、前記少なくとも１つの係止突部が前記係止機構に係合するように構成されている；
請求項７に記載の自己注射用器具。
【請求項１９】
前記カバーが前記基部に対して前記閉鎖位置から前記開放位置の方に回動するとき、前記係止機構が前記少なくとも１つの係止突部を係脱するように前記係止位置から前記非係止位置の方に移動可能である、請求項１８に記載の自己注射用器具。
【請求項２０】
前記有益な薬剤がＴＮＦ阻害剤を含む、請求項１に記載の自己注射用器具。
【請求項２１】
第１の端部と第２の端部とを有し、それらの間に長軸を画定する外筒と、前記第１の端部に近接する肩部と、前記外筒と流体連通し、基端部と先端部とを有し、前記外筒の第１の端部から延びる針と、前記外筒の第２の端部に近接して配置されているフランジと、前記針を覆い、一端が前記肩部に近接して配置されているキャップと、前記針を通して有益な薬剤を排出するように前記外筒内を移動可能なプランジャとを備える注射器と；
基端部と、先端部と、外筒係合部とを有する基部を備える自己注射用器具であって、前記外筒係合部は、前記針の先端部が前記基部の先端部から第１の距離延びている状態で前記外筒の少なくとも一部を受け入れるように前記基部の基端部と先端部との間に配置されている空隙を画定する自己注射用器具と；
基端部と先端部とを有するシュラウド部材であって、前記シュラウド部材の基端部が前記基部に移動可能に連結するシュラウド部材であり、前記シュラウド部材の先端部が前記基部の先端部から延出した距離である完全に延出した位置と、前記シュラウド部材の先端部が前記基部の先端部から後退した距離である完全に後退した位置との間を移動可能なシュラウド部材と；
を含み、
前記延出した距離が前記第１の距離以上であり、前記後退した距離が前記第１の距離未満であるキット。
【発明の詳細な説明】
【技術分野】
【０００１】
本開示の対象は、治療薬などの物質を患者に注射するための自己注射用器具に関する。
【背景技術】
【０００２】
医薬剤または生物剤などの治療薬の投与は、例えば、皮下注射または筋肉内注射を含み得る注射により行うことができる。針または噴出口と流体連通している治療薬を収容する注射器または他の容器などの注射装置は、注射を行うために使用者が手動で操作することができる。注射は熟練した医療従事者により行われることが多い。あるいは、自己注射用の注射装置を使用できるように患者を訓練することができる。さらに、注射器などの注射装置容器は、治療薬の汚染を防止または抑制するために、ならびに患者が容器を充填する必要がないように、患者が使用する治療薬が予め充填されていてもよい。しかし、自己注射は、一部の患者にとっては、例えば、あまり器用でないため、または針に対する恐怖感があるため、困難なことがある。
【０００３】
自己注射用器具は、患者の自己注射の実施、ならびに医療提供者等による注射の実施の補助を助けることができる。自己注射用器具は、例えば、標準的なプレフィルドシリンジなどの手動注射装置の操作を補助するために使用することができる。このような器具は、例えば、標準的なプレフィルドシリンジを受け入れ、使用後は注射器を解放し、従って、患者が自己注射用器具を繰り返し使用できるように構成されてもよい。自己注射用器具は、患者が手動注射装置を操作すること、例えば、プレフィルドシリンジの針から針キャップを取り外し、患者への針の挿入を案内することを補助する幾つかの特徴を備えてもよい。様々なタイプの自己注射用器具が、例えば、実用新案登録第３，１４３，３０２号公報および特開２０１１−９８１３３号公報に記載されてきたが、これらはそれぞれその内容全体が参照により本明細書に援用される。
【先行技術文献】
【特許文献】
【０００４】
【特許文献１】実用新案登録第３，１４３，３０２号公報
【特許文献２】特開２０１１−９８１３３号公報
【発明の概要】
【発明が解決しようとする課題】
【０００５】
しかし、既知の自己注射用器具の更なる改善が依然として必要とされている。例えば、患者が快適且つ容易に操作できると共に、針を患者の視界から隠すことができる自己注射用器具を有することが望ましいことがある。
【課題を解決するための手段】
【０００６】
開示の対象の目的および利点は以下の説明に記載され、それから明らかになると共に、開示の対象の実施により分かるであろう。開示の対象のさらなる利点は、明細書およびその特許請求の範囲で、ならびに添付の図面から特に指摘される方法およびシステムにより実現および達成されるであろう。
【０００７】
これらのおよび他の利点を達成するために、また、具体化され、概括的に説明される開示の対象の目的により、開示の対象は、注射器から有益な薬剤を注射するための自己注射用器具を含む。注射器は、外筒と、肩部と、針と、フランジと、キャップと、プランジャとを備える。外筒は第１の端部と第２の端部とを備える。肩部は第１の端部に近接している。針は外筒と流体連通しており、基端部と先端部とを備え、外筒の第１の端部から延びる。フランジは外筒の第２の端部に近接して配置されている。キャップは針を覆い、一端が肩部に近接して配置されている。プランジャは、針を通して有益な薬剤を排出するように外筒内を移動可能である。自己注射用器具は基部とシュラウド部材とを備える。基部は、基端部と、先端部と、外筒係合部とを備える。外筒係合部は長軸を有する空隙を画定し、針の先端部が基部の先端部から第１の距離延びている状態で外筒の少なくとも一部を受け入れるように、基部の基端部と先端部との間に配置されている。シュラウド部材は基端部と先端部とを備える。シュラウド部材の基端部は基部に移動可能に連結し、シュラウド部材は、シュラウド部材の先端部が基部の先端部から延出した距離である完全に延出した位置と、シュラウド部材の先端部が基部の先端部から後退した距離である完全に後退した位置との間を移動可能である。延出した距離は第１の距離以上であり、後退した距離は第１の距離未満である。
【０００８】
本明細書で具体化されるように、シュラウド部材は延出位置の方に付勢されていてもよい。シュラウド部材の先端部は中に切り欠きを有する実質的に平面状の係合面を備えてもよく、またはシュラウド部材の先端部は中に貫通孔を有する実質的に平面状の係合面を備えてもよい。シュラウド部材は、シュラウド部材の基端部と先端部との間に配置されている管状部材を備えてもよい。
【０００９】
例えば、本明細書で具体化されるように、基部は、フランジの少なくとも一部を受け入れ、長軸に沿った外筒の移動を抑制するスロットを画定する少なくとも１つのフランジ係合部をさらに備えてもよい。基部はハウジングを備えてもよく、幾つかの実施形態では、自己注射用器具はカバーをさらに備えてもよい。カバーは基部に蝶着されてもよく、基部に対して開放位置と閉鎖位置との間を回動可能であってもよい。外筒係合部はハウジングに対して移動可能であってもよい。外筒係合部はキャップ係合部を備えてもよい。キャップ係合部は、外筒の第１の端部の少なくとも一部を受け入れるようなサイズに形成された開口部を有してもよい。キャップ係合部は肩部に近接するキャップ端部に係合するように位置決めされてもよく、キャップを外筒から離すようにハウジングに対して移動可能であってもよい。キャップ係合部はＵ字形切り欠きを備えてもよい。
【００１０】
さらに、本明細書で具体化されるように、ハウジングは、底部と、底部から上方に延びる少なくとも１つの側壁とを備えてもよい。カバーはハウジングに少なくとも１つの側壁の少なくとも１つに近接して結合していてもよい。少なくとも１つの側壁は実質的に丸い形状を有してもよい。基部は、底部から延び、少なくとも１つの側壁に垂直に配置されている近接面を備えてもよい。基端面は開口部を備えてもよく、外筒の少なくとも一部が外筒係合空隙内に配置されるとき、それを通してプランジャの少なくとも一部を受け入れる。
【００１１】
さらに、本明細書で具体化されるように、カバーは、カバーが閉鎖位置にあるとき、外筒に係合する１つ以上の突部を有してもよい。キャップ係合部は、カバーが基部に対して開放位置から閉鎖位置に回動するとき、少なくとも１つのフランジ係合部に対して移動可能であってもよい。カバーが閉鎖位置に移動するとき、注射器を係合状態に維持することができる。自己注射用器具はフランジアダプタをさらに備えてもよい。フランジアダプタは、フランジを受け入れる凹部と、フランジ係合部に係合するように構成された少なくとも１つの翼要素とを備えてもよい。
【００１２】
さらに、本明細書で具体化されるように、基部は、カバーが基部に対して開放位置から閉鎖位置に回動するとき、非係止位置と係止位置との間を移動可能な係止機構をさらに備えてもよい。シュラウドの基端部は少なくとも１つの係止突部を備えてもよい。係止突部は、係止機構が係合位置にあり、シュラウドが後退位置にあるとき、係止機構に係合するように構成されてもよい。係止機構は、カバーが基部に対して閉鎖位置から開放位置の方に回動するとき、少なくとも１つの係止突部を係脱するように、係止位置と非係止位置との間を移動可能であってもよい。あるいはカバーは、カバーが閉鎖位置にあるとき、外筒係合部とキャップ係合部との間に摩擦係合が生じるように構成されてもよい。
【００１３】
さらに、本明細書で具体化されるように、有益な薬剤としてはＴＮＦ阻害剤を挙げることができる。
【００１４】
さらに、具体化され、概括的に説明される開示の対象の目的により、開示の対象はキットを含む。キットは注射器と自己注射用器具とを含む。注射器は、外筒と、肩部と、針と、フランジと、キャップと、プランジャとを備える。外筒は第１の端部と第２の端部とを備え、それらの間に長軸を画定する。肩部は第１の端部に近接している。針は外筒と流体連通しており、基端部と先端部とを備え、外筒の第１の端部から延びている。フランジは外筒の第２の端部に近接して配置されている。キャップは針を覆い、一端が肩部に近接して配置されている。プランジャは、針を通して有益な薬剤を排出するように外筒内を移動可能である。自己注射用器具は基部とシュラウド部材とを備える。基部は基端部と、先端部と、外筒係合部とを備える。外筒係合部は、針の先端部が基部の先端部から第１の距離延びている状態で注射器外筒の少なくとも一部を受け入れるように基部の基端部と先端部との間に配置されている空隙を画定する。シュラウド部材は基端部と先端部とを備える。シュラウド部材の基端部は基部に移動可能に連結し、シュラウド部材は、シュラウド部材の先端部が基部の先端部から延出した距離である完全に延出した位置と、シュラウド部材の先端部が基部の先端部から後退した距離である完全に後退した位置との間を移動可能である。延出した距離は第１の距離以上であり、後退した距離は第１の距離未満である。
【００１５】
前述の概説と以下の詳細な説明は両方とも例示的であり、請求する開示の対象の更なる説明を目的とすることを理解されたい。
【００１６】
本明細書に組み込まれ、その一部を構成する添付の図面は開示の対象を例示的に示し、その更なる理解が得られるように記載している。図面は説明と共に、開示の対象の原理を説明するのに役立つ。
【図面の簡単な説明】
【００１７】
【図１】開示の対象の例示的な実施形態による自己注射用器具の斜視図である。
【図２】図１の自己注射用器具の上面図である。
【図３】図１の自己注射用器具の底面図である。
【図４】図１の自己注射用器具の右側面図であり、左側面図は右側面図の鏡像である。
【図５】図１の自己注射用器具の正面図である。
【図６】図１の自己注射用器具の背面図である。
【図７】図１の自己注射用器具の例示的なシュラウド部材の斜視図である。
【図８】図１の自己注射用器具の例示的なハウジングの斜視図である。
【図９】図１の自己注射用器具の例示的なカバーの斜視図である。
【図１０】図１の自己注射用器具の例示的な注射器係合要素の斜視図である。
【図１１】図１の自己注射用器具の例示的な係止機構の斜視図である。
【図１２】図１の自己注射用器具の例示的な裏カバーの斜視図である。
【図１３】図１２の裏カバーの平面図である。
【図１４】図１の自己注射用器具の例示的なインサートの斜視図である。
【図１５】図１の自己注射用器具の例示的なインサートの斜視図である。
【図１６】図１の例示的な自己注射用器具の様々な構成要素の組立分解図である。
【図１７】カバーが開放位置にあり、シュラウド部材が完全に延出した位置にある、図１の自己注射用器具の底面図である。
【図１８】カバーが閉鎖位置にあり、シュラウド部材が完全に延出した位置にある、図１の自己注射用器具の底面図である。
【図１９】カバーが閉鎖位置にあり、シュラウド部材が完全に後退した位置にある、図１の自己注射用器具の底面図である。
【図２０】カバーが開放位置にある、図１の自己注射用器具の上面斜視図である。
【図２１】カバーが閉鎖位置にあり、分かり易いように点線で示されている、図１の自己注射用器具の上面図である。
【図２２】図１の自己注射用器具に使用される例示的な注射器の斜視図である。
【図２３】注射器を自己注射用器具に挿入する前の、カバーが開放位置にあり、分かり易いように点線で示されている図１の自己注射用器具の斜視図である。
【図２４】カバーが開放位置にあり、分かり易いように点線で示されており、注射器が自己注射用器具に挿入されている図１の自己注射用器具の斜視図である。
【図２５】カバーが閉鎖位置にあり、分かり易いように点線で示されており、注射器が自己注射用器具に挿入されている図１の自己注射用器具の斜視図である。
【図２６】カバーが閉鎖位置にあり、分かり易いように点線で示されており、シュラウド部材が完全に後退した位置にある図１の自己注射用器具の斜視図である。
【発明を実施するための形態】
【００１８】
開示の対象の様々な例示的な実施形態について詳細に言及し、その例示的な実施形態を添付の図面に示す。開示の対象の構造および対応する操作方法は、システムの詳細な説明と関連して説明する。
【００１９】
本明細書に示す装置および方法は、薬物などの様々な好適な治療薬または物質のいずれかを患者に注射するために使用することができる。本明細書で使用する場合、「自己注射用器具」または「自己注射補助具」または「器具」（本明細書では互換的に使用される）は、一般的に個人（本明細書では使用者、患者または医療提供者とも称される）が治療薬などの流体物質を投与することを補助する装置を指すものとする。幾つかの実施形態では、器具は注射器または他の注射装置を受け入れるように構成されてもよいが、それはさもなければ自己注射用器具なしで使用することができる。しかし、代替の実施形態では、注射器または他の注射装置は、自己注射用器具を使用することによってのみ機能し得る。有益な液剤としてはタンパク質を挙げることができる。幾つかの実施形態では、有益な液剤としてはアダリムマブなどのＴＮＦ阻害剤等を挙げることができる。
【００２０】
本明細書に開示する注射器は、限定ではなく例示の目的で、外筒と、肩部と、針と、フランジと、キャップと、プランジャとを備えてもよい。外筒は第１の端部と第２の端部とを備える。肩部は第１の端部に近接している。針は外筒と流体連通しており、基端部と先端部とを備え、外筒の第１の端部から延びている。フランジは外筒の第２の端部に近接して配置されている。キャップは針を覆い、一端が肩部に近接して配置されている。プランジャは、針を通して有益な薬剤を排出するように外筒内を移動可能である。
【００２１】
本明細書の開示の対象に従って、注射器から有益な薬剤を注射するための自己注射用器具は、一般的に基部とシュラウド部材とを備える。基部は基端部と、先端部と、外筒係合部とを備える。外筒係合部は長軸を有する空隙を画定し、針の先端部が基部の先端部から第１の距離延びている状態で、注射器外筒の少なくとも一部を受け入れるように基部の基端部と先端部との間に配置されている。シュラウド部材は基端部と先端部とを備える。シュラウド部材の基端部は基部に移動可能に連結し、シュラウド部材は、シュラウド部材の先端部が基部の先端部から延出した距離である完全に延出した位置と、シュラウド部材の先端部が基部の先端部から後退した距離である完全に後退した位置との間を移動可能である。延出した距離は第１の距離以上であり、後退した距離は第１の距離未満である。
【００２２】
別個の図全体を通して同様の番号が同一の要素または機能的に類似の要素を指す添付の図は、全て開示の対象に従って、様々な実施形態をさらに例示的に示し、様々な原理および利点を説明する役割を果たす。限定ではなく説明や例示の目的で、自己注射用器具の例示的な実施形態を図１〜２５に示す。アダリムマブなどのＴＮＦ阻害剤等の皮下注射を提供するための装置の使用に関して、本開示の対象を説明するが、当業者には、開示の対象は例示的な実施形態に限定されるものではなく、自己注射用器具は、栄養剤、医薬剤、または生物剤を含む任意の好適な物質を使用者に注射するために使用できることが分かるであろう。さらに、自己注射用器具の構成要素および使用方法は、本明細書に記載するまたは示す例示的な実施形態に限定されない。
【００２３】
限定ではなく例示の目的で、図２２を参照すると、開示の対象による自己注射用器具に使用される例示的な注射器１０が示されている。注射器１０は、第１の端部１７に近接する肩部１２を有する外筒１１と、第１の端部１７から延びる針１３（例えば、図２６に示す）とを備えてもよい。キャップ１５は、不注意により針が刺さることを防止または抑制するように針１３を覆うことができ、端部２１が肩部１２に近接して配置されていてもよい。注射器１０は、第２の端部１８に近接する開口部を取り囲むフランジ１４を備えてもよい。針１３は外筒１１と流体連通しており、外筒１１の第１の端部１７から最も近い基端部２０と、そこから延びる先端部１９とを備える。プランジャ１６は第２の端部１８に近接する開口部に挿入することができ、針１３を通して有益な薬剤を排出するように外筒１１内を移動可能であってもよい。
【００２４】
開示の対象に従って、自己注射用器具１００が提供される。図１〜６を参照すると、例示的な自己注射用器具１００は基部１１０とシュラウド部材１２０とを備える。基部１１０は外筒係合部１１２を備えてもよい。外筒係合部１１２は、注射器外筒１１の少なくとも一部を受け入れるように、長軸ｘｂを有する空隙を画定する。外筒係合部１１２は、針１３の先端部１９が基部１１０の先端部１１１から第１の距離Ｄ１延びるように、注射器外筒１１を受け入れるように構成されている。
【００２５】
基部１１０は様々な構成要素の組立体として構成されてもよい。図８、図１０〜１５は、限定ではなく例示の目的で、基部１１０の構成要素の例示的な実施形態を示す。あるいは、基部１１０は一体の材料片として構成されてもよい。基部１１０の構成要素は一般的にハウジング１３０（図８）（これは裏カバー１５１（図１２〜１３）とインサート１５２、１５３（それぞれ図１４〜１５）とを備えてもよい）と、注射器係合要素１４０（図１０）と、係止機構１５０（図１１）とを備えてもよい。
【００２６】
図８は、基部１１０の例示的なハウジング１３０を示す。本明細書で具体化されるように、ハウジング１３０は、底部１３１と、底部１３１から延びる少なくとも１つの側壁１３２、１３３とを備える。あるいは、ハウジング１３０は単一の側壁を備えても、または３つ以上の側壁もしくは側壁部を有してもよい。図示するように、側壁１３２、１３３は、人間工学を向上させる、従って、器具１００を保持および／または操作するときの使用者の快適さと使い易さを向上させることができる実質的に丸い形状を有してもよい。あるいは、側壁は実質的に平面状であってもよく、または他の任意の好適な形状を有してもよい。底部１３１はまた、例えば、付勢部材２３（例えば、図１９に示す）に係合するサイズに形成された突起として構成されてもよい、付勢係合部材１３５も備えてもよい。さらに、本明細書で具体化されるように、底部１３１は、本明細書にさらに説明するように、付勢部材２４（例えば、図１９に示す）を受け入れるサイズに形成された付勢スロット１３７と、係止機構１５０を受け入れるサイズに形成された係合スロット１３６とを備えてもよい。
【００２７】
さらに、本明細書で具体化されるように、ハウジング１３０は底部１３１から延びる基端面１３４を備えてもよい。基端面１３４はまた切り欠きまたは開口部１３８も備えてもよい。開口部１３８は、本明細書にさらに説明するように、外筒１１の少なくとも一部が外筒係合空隙１１２内に配置されるとき、それを通してプランジャ１６の少なくとも一部を受け入れるサイズに形成されてもよい。ハウジング１３０はまた、本明細書にさらに説明するように、カバー１６０を受け入れるサイズに形成された、カバー受入孔１３９も備える。
【００２８】
幾つかの実施形態では、基部１１０は１つ以上のフランジ係合部１５２をさらに備えてもよい。例えば、フランジ係合部１５２は、注射器１０のフランジ１４の少なくとも一部を受け入れる１つ以上のスロットを画定してもよいが、これに限定されるものではない。従って、フランジ係合部１５２は、さらに後述するように、長軸ｘｂに沿った注射器外筒１１の移動を制限または抑制することができる。
【００２９】
ここで図２２を参照すると、限定ではなく例示の目的で、幾つかの実施形態では、自己注射用器具１００はフランジアダプタ１７０をさらに備えてもよい。フランジアダプタ１７０は、注射器１０のフランジ１４を受け入れるサイズに形成された凹部１７１を備えてもよい。フランジアダプタ１７０はまた、凹部１７１、従って、注射器外筒１１が外筒係合部１１２と実質的に位置が合うように、フランジ係合部１５２内に受け入れられ、それに係合するサイズに形成された少なくとも１つの翼要素１７２も備えてもよい。
【００３０】
前述のように、基部１１０は外筒係合部１１２をさらに備える。外筒係合部１１２は所定の位置に固定されていてもよく、例えば、基部の残りの部分と一体になっていてもよい。あるいは、本明細書で具体化されるように、外筒係合部１１２は、例えば、注射器キャップの取り外しが容易になるように移動可能であってもよい。例えば、外筒係合部１１２は、限定ではなく例示の目的で図１０に示されている注射器係合要素１４０を備えてもよい。本明細書で具体化されるように、注射器係合要素１４０は注射器１０の外筒１１を受け入れるサイズに形成され、長軸ｘｂを画定する外筒係合空隙を備えてもよい。注射器係合要素１４０はまた、キャップ係合部１４１と、カバー係合部１４２、１４３とを備えてもよい。キャップ係合部１４１は、肩部１２に近接する外筒１１の第１の端部１７の少なくとも一部を受け入れるサイズに形成された開口部を画定する、Ｕ字形または他の好適な形状を有してもよい切り欠き１４４を備えてもよい。図１６を参照すると、本明細書で具体化されるように、注射器係合要素１４０はスロット１３６を通して係止機構１５０に連結することができる。従って、注射器係合要素１４０は、第１の位置と第２の位置との間をスロット１３６に沿って長手方向に移動可能であってもよい。従って、キャップ係合部１４１は、本明細書でさらに検討するように、キャップ１５を外筒１１から離すように、長軸ｘｂに沿って１つ以上のフランジ係合部１５２に対して移動可能であってもよい。本明細書で具体化されるように、付勢スロット１３７内に配置されている付勢要素２４（例えば、図１９に示す）は、注射器係合要素１４０に係合し、それを第１の位置の方に付勢する。付勢要素２４は、例えば、機械ばね、または他の任意の好適な付勢要素として構成されてもよいが、これらに限定されるものではない。
【００３１】
ここで図７を参照すると、限定ではなく例示の目的で、例示的なシュラウド部材１２０は基端部１２１と先端部１２２とを備える。シュラウド部材１２０は基部１１０に結合しており、基部１１０に対して、完全に延出した位置と完全に後退した位置との間を長軸ｘｂに沿って移動可能であってもよい。例えば、図１、図１７および図１８に示す完全に延出した位置では、シュラウド部材１２０の先端部１２２は、基部１１０の先端部１１１から延出した距離Ｄ２延びている。例えば、図１９に示す完全に後退した位置では、シュラウド部材１２０の先端部１２２は、基部１１０の先端部１１１から後退した距離Ｄ３延びている。ここで具体化するように、延出した距離Ｄ２は少なくとも第１の距離Ｄ１以上である。後退した距離Ｄ３は第１の距離Ｄ１未満である。このようなものとして、例えば、本明細書で具体化されるように、シュラウド部材１２０が延出位置にあるとき、シュラウド１２０は、注射器係合部材１４０に係合する注射器１０の針１３を少なくとも部分的に覆う。従って、シュラウド部材１２０は不注意により針が刺さることを防止または抑制することができ、使用者の視界から針１３を隠すことができる。シュラウド部材１２０が後退位置にあるとき、例えば、針１３を注射部位に挿入することができるように、針１３の先端部１９は露出していてもよい。
【００３２】
本明細書で具体化されるように、シュラウド部材１２０は延出位置の方に付勢されていてもよい。図１７〜１９を参照すると、シュラウド部材１２０は、付勢部材２３に係合する付勢係合部材（図示せず）を備えてもよい。付勢部材２３は、例えば、機械ばね、または他の任意の好適な付勢要素として構成されてもよいが、これらに限定されるものではない。シュラウド部材１２０の先端部は実質的に平面状の係合面１２４を備えてもよい。係合面１２４は、注射中、使用者の皮膚などの注射部位に係合するようなサイズおよび形状に形成されてもよい。幾つかの実施形態では、係合面１２４はテクスチャ加工されたリブまたは窪みなどの１つ以上の表面特徴を備えてもよく、それにより、係合面１２４の近接部の摩擦を増加させることができ、従って、注射部位に沿った係合面１２４の望ましくない滑りを低減または防止することができる。係合面１２４は、注射器１０の外筒１１が外筒係合部１１２内に受け入れられるとき、針１３と位置合わせされる切り欠き１２５を中に有してもよい。あるいは、平面状の係合面１２４は、切り欠き１２５ではなく貫通孔を有してもよい。別の代替として、シュラウド部材１２０は、基端部１２１と先端部１２２との間に配置されている管状部を備えてもよい。管状部は、外筒係合部１１２内に配置されているとき針１３を取り囲み、シュラウド１２０が延出位置にあるとき針１３を視界からさらに隠すことができる。
【００３３】
図９を参照すると、自己注射用器具１００はカバー１６０を備えてもよい。カバー１６０は把持部材１６６を備えてもよい。カバー１６０は、カバー１６０が開放位置（例えば、図１および図２３に示す）と閉鎖位置（例えば、図２〜６および図２５に示す）との間で回動可能となるように基部１１０に蝶着されていてもよい。例えば、図１〜２に示すように、カバー１６０は、カバー１６０の１つ以上の突起１６５を受け入れるカバー受入孔１３９を介して基部に連結されてもよい。カバーは、針を視界からさらに隠すように不透明であっても、または注射器の内容物を視認できるように透明であってもよい。
【００３４】
図１を参照すると、カバーはまた、カバー１６０が閉鎖位置にあるとき外筒１１に係合し、外筒１１が外筒係合部１１２から離れることを防止または抑制するサイズに形成された１つ以上の突部１６１も備えてもよい。カバー１６０はまた、基部係合部材１６２、１６３も備えてもよい。基部係合部材１６２、１６３は、カバー１６０が閉鎖位置に回動するとき、カバー係合部１４２、１４３に係合することができる。例えば、本明細書で具体化されるように、基部係合部材１６２、１６３は１つ以上の突部として構成されてもよく、カバー係合部１４２、１４３は、１つ以上の突部が係合するサイズおよび位置に形成された１つ以上の傾斜面として構成されてもよい。操作時、カバー１６０を閉鎖位置の方に回動させると、基部係合部材１６２、１６３はカバー係合部１４２、１４３の傾斜面に当接し、それ沿って移動する。このようなものとして、基部係合部材１６２、１６３が傾斜面に沿ってさらに移動するにつれ、基部係合部材１６２、１６３が本明細書に開示する移動可能な注射器係合要素１４０を長軸に沿って移動させることができる距離が大きくなり、それにより注射器係合部材１４０をキャップ係合部１４１と共に第１の位置から第２の位置に移動させる。さらに、基部係合部材１６２、１６３は係止部材１６４、１６５を備えてもよい。係止部材１６４、１６５は、カバー１６０が閉鎖位置にあるとき、カバー係合部１４２、１４３に当接または掛止し、カバー１６０を閉鎖位置に固定することができる。
【００３５】
ここで図２３〜２６を参照すると、限定ではなく例示の目的で、開示の対象の注射器と自己注射用器具とを含むキットに関して自己注射用器具１００の操作が示され、記載されている。本明細書に開示するキットは上記で詳述した特徴の一部または全部を備えてもよいことを理解されたい。図２２に示すように、フランジアダプタ１７０は、存在する場合、注射器のフランジに取り付けることができる。次いで、図２３および図２４に示すように、キャップ１５の端部２１に係合するようにキャップ係合部１４１を注射器１０の肩部１２間に配置して、注射器１０を外筒係合部１１２内に位置決めする。本明細書で検討するように、カバー１６０が開放位置から閉鎖位置に回動するとき、基部係合部材１６２、１６３はカバー係合部１４２、１４３に係合し、注射器係合部材１４０をキャップ係合部１４１と共に、第１の位置から第２の位置に移動させる。このようなものとして、図２５に示すように、カバー１６０が開放位置から閉鎖位置に回動し、注射器係合部材１４０が移動する時、キャップ係合部１４１は長軸ｘｂに沿って１つ以上のフランジ係合部１５２に対して移動し、キャップ１５を外筒１１から離す。しかし、シュラウド部材１２０は延出位置の方に付勢されているため、針１３は視界から隠れたままとなる。
【００３６】
本明細書で具体化されるように、注射器１０が自己注射用器具１００内にあり、カバー１６０が閉鎖位置に回動した状態で、使用者は自己注射用器具１００を用いて注射を行うことができる。操作時、使用者は、針が注射部位の真上にあり、針がシュラウドの係合面に垂直に位置合わせされた状態で、シュラウド部材１２０の先端部１２２の平面状の係合面１２４が患者の皮膚上に載置されるように、自己注射用器具を所望の注射部位上に配置することができる。この位置では、シュラウド１２０の先端部１２２は基部の先端部１１１から延出した距離Ｄ２延び、距離Ｄ２は少なくとも、針１３の先端部１９と基部の先端部１１１との距離であるＤ１以上である。この位置では、針はまだ患者の皮膚と接触していない。さらに、シュラウド部材１２０は針１３を使用者の視界から隠すことができる。次いで、使用者は自己注射用器具１００を押し下げて、シュラウド部材１２０を完全に延出した位置から完全に後退した位置に移動させることができる。完全に後退した位置では、シュラウド部材１２０の先端部１２２は、図２６に示すように、基部の先端部１１１から後退した距離Ｄ３である。従って、使用者が自己注射用器具１００を注射部位に押し当てる時、針１３はシュラウド部材１２０を通過して移動し、注射部位に注射される。次いで、使用者はプランジャ１６を押し下げ、針１３を通して注射部位に有益な薬剤を排出することができる。
【００３７】
注射後、使用者は注射部位から自己注射用器具１００を引き離して、注射部位から針１３を抜去することができる。自己注射用器具１００を取り除く時、付勢部材２３はシュラウド部材１２０を第１の位置または延出位置に戻すことができる。従って、器具１００を使用者から引き離す時、針１３は再びシュラウド部材１２０により隠れ、使用者の視界から隠れる。さらに、この構成により、特に、シュラウドが延出位置で針を完全に取り囲むように構成された管状部を備える場合、注射器１０の使用後、不注意により針が刺さることを防ぐことができる。シュラウド部材１２０はまた、針１３を使用者の視界から隠すこともできる。しかし、代替の実施形態では、シュラウド部材１２０は、後述するように、カバー１６０が開放されるまで第２の位置に係止された状態を維持するように構成されてもよい。
【００３８】
例えば、必要に応じて、カバー１６０は、シュラウド部材１２０と基部１１０、例えば、外筒係合部との間に摩擦係合が生じ、カバーが開放位置に移動するまでシュラウドの移動を抑制するように構成されてもよい。
【００３９】
あるいは、他の実施形態では、基端部１２１は係止突部１２６をさらに備えてもよい。係止機構１５０は非係合位置（注射器係合要素１４０が第１の位置にあるとき）と係合位置（注射器係合要素１４０が第２の位置にあるとき）との間を移動可能であってもよい。係止突部１２６は、係止機構１５０が係合位置にあり、シュラウド部材が後退位置にあるとき、係止機構１５０に係合するように構成されてもよい。係止機構１５０は非係合位置に移動可能であってもよく、カバー１６０が基部に対して閉鎖位置から開放位置に回動するとき、係止突部１２６を係脱するように構成されてもよい。
【００４０】
使用後、把持部材１６６によりカバー１６０を開放位置の方に戻すことができる。従って、カバー１６０を基部１１０から離れるように回動させることにより、係止部材１６４、１６５をカバー係合部１４２、１４３から係脱させることができる。カバー１６０が開放位置の方に回動する時、注射器係合部材１４０は第１の位置に戻ることができる。注射器１０は自己注射用器具１００から取り外し、適切に処分することができる。従って、新しい注射器１０を挿入することにより自己注射用器具１００を再使用することができる。
【００４１】
開示の対象の自己注射用器具は、対応する量または用量の様々な好適な液体物質のいずれかを注射または送達するために使用することができる。例えば、好適な液体物質としては、任意の好適な栄養剤、医薬剤、または生物剤を挙げることができる。好適な液体物質としては、タンパク質を含み得る有益な液剤を挙げることができる。幾つかの実施形態では、有益な液剤としてはアダリムマブなどのＴＮＦ阻害剤等を挙げることができる。
【００４２】
自己注射用器具は、プラスチックまたは他の既知の材料を含む任意の好適な医療用デバイス材料で製造することができるが、これに限定されるものではない。装置は、任意の好適な方法、例えば、射出成形により形成することができるが、これに限定されるものではない。
【００４３】
本明細書では開示の対象を特定の好ましい実施形態に関して説明するが、当業者には、その範囲から逸脱することなく、開示の対象に様々な変更および改善を行い得ることが分かるであろう。さらに、開示の対象の一実施形態の個々の特徴について本明細書で検討することがある、または一実施形態の図面に示し他の実施形態には示さないことがあるが、一実施形態の個々の特徴を別の実施形態の１つ以上の特徴または複数の実施形態の特徴と組み合わせることができることは明らかである。
【００４４】
下記で請求する特定の実施形態の他に、開示の対象は、下記で請求する従属的特徴および上記で開示したものの他の任意の可能な組み合わせを有する他の実施形態にも関する。このようなものとして、開示の対象が特に他の任意の可能な組み合わせを有する他の実施形態にも関するものとして認識されるように、従属請求項に示される特定の特徴と、上記で開示した特定の特徴は開示の対象の範囲内で他の方法で互いに組み合わせることができる。従って、開示の対象の特定の実施形態の前述の説明は例証や説明の目的で示してきた。それは網羅的なものではない、即ち、開示の対象をこれらの開示された実施形態に限定するものではない。
【００４５】
当業者には、開示の対象の精神または範囲から逸脱することなく、開示の対象の方法およびシステムに様々な変更および変形を行い得ることが分かるであろう。従って、開示の対象は添付の特許請求の範囲およびそれらの均等物に入る変更および変形を含むものとする。
【図１】
2018187427.tif 000003
【図２】
2018187427.tif 000004
【図３】
2018187427.tif 000005
【図４】
2018187427.tif 000006
【図５】
2018187427.tif 000007
【図６】
2018187427.tif 000008
【図７】
2018187427.tif 000009
【図８】
2018187427.tif 000010
【図９】
2018187427.tif 000011
【図１０】
2018187427.tif 000012
【図１１】
2018187427.tif 000013
【図１２】
2018187427.tif 000014
【図１３】
2018187427.tif 000015
【図１４】
2018187427.tif 000016
【図１５】
2018187427.tif 000017
【図１６】
2018187427.tif 000018
【図１７】
2018187427.tif 000019
【図１８】
2018187427.tif 000020
【図１９】
2018187427.tif 000021
【図２０】
2018187427.tif 000022
【図２１】
2018187427.tif 000023
【図２２】
2018187427.tif 000024
【図２３】
2018187427.tif 000025
【図２４】
2018187427.tif 000026
【図２５】
2018187427.tif 000027
【図２６】
2018187427.tif 000028
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
注射器から有益な薬剤を注射することを補助する自己注射用器具であって、前記自己注射用器具は、
基端部と、先端部と、注射器係合要素とを有する基部であって、前記注射器係合要素が長軸を有する空隙を画定し、注射針の先端部が前記基部の先端部から第１の距離だけ延びている状態で注射器外筒の少なくとも一部を受け入れるように前記基部の基端部と先端部との間に配置されている基部であって、前記注射器係合要素は、前記基端部と前記先端部との間で前記長軸に沿って移動するように構成され、カバー係合部を有する、基部と、
前記基部に連結したカバーであって、前記カバーは、前記基部に対して開放位置と閉鎖位置との間を回動可能であり、前記カバーは、そこから突出する基部係合部材を有する、カバーと、を備え、
前記開放位置から前記閉鎖位置への前記カバーの回動に応じて、前記基部係合部材は、前記注射器係合要素が前記長軸に沿って前記基部の先端部の方に向かうように、前記カバー係合部と係合する、自己注射用器具。
【請求項２】
前記カバー係合部は、前記基部係合部材が係合するサイズおよび位置に形成された傾斜面として構成され、
前記閉鎖位置の方に前記カバーが回動することに応じて、前記基部係合部材は、前記カバー係合部の前記傾斜面に当接し、それに沿って移動し、前記基部係合部材が、前記注射器係合部材が前記基部の先端部の方に向かうように、前記傾斜面に沿ってさらに移動するにつれて、前記基部係合部材は、前記注射器係合要素を前記長軸に沿って移動させることができる距離が大きくなる、請求項１に記載の自己注射用器具。
【請求項３】
前記基部係合部材は、前記カバーが前記閉鎖位置にいるときに、前記カバー係合部に掛止する係止部材であって、前記カバーを前記閉鎖位置に固定する係止部材を備える、請求項１に記載の自己注射用器具。
【請求項４】
自己注射用器具は、基端部と先端部とを有するシュラウド部材をさらに備え、前記シュラウド部材の基端部は、前記基部に移動可能に連結し、前記シュラウド部材は、前記シュラウド部材の先端部が前記基部の先端部から延出した距離である延出した位置と、前記シュラウド部材の先端部が前記基部の先端部から後退した距離である後退した位置との間を移動可能である、請求項１に記載の自己注射用器具。
【請求項５】
前記基部は、非係合位置と係合位置との間を移動可能な係止機構をさらに備え、
前記シュラウド部材の基端部は、前記係止機構が前記係合位置にあり、前記シュラウド部材が前記後退した位置にあるとき、前記係止機構に係合するように構成された少なくとも１つの係止突部を備える、請求項４に記載の自己注射用器具。
【請求項６】
前記シュラウド部材が前記延出した位置の方に付勢されている、請求項４に記載の自己注射用器具。
【請求項７】
前記シュラウド部材の先端部が、中に切り欠きが形成された平面状の係合面を備える、請求項４に記載の自己注射用器具。
【請求項８】
前記シュラウド部材の先端部が、中に貫通孔が形成された平面状の係合面を備える、請求項４に記載の自己注射用器具。
【請求項９】
前記シュラウド部材が、前記シュラウド部材の基端部と先端部との間に配置されている管状部をさらに備える、請求項４に記載の自己注射用器具。
【請求項１０】
前記基部が、前記注射器外筒の第２の端部に近接して配置されているフランジの少なくとも一部を受け入れスロットであって、前記長軸に沿った前記注射器外筒の移動を抑制するスロットを画定する少なくとも１つのフランジ係合部をさらに備える、請求項１に記載の自己注射用器具。
【請求項１１】
前記基部がハウジングを備え、
前記注射器係合要素が前記ハウジングに対して移動可能であり、前記注射器係合要素が前記注射器外筒の第１の端部の少なくとも一部を受け入れるサイズに形成された開口部を有するキャップ係合部をさらに備え、前記キャップ係合部が前記注射器外筒の前記第１の端部に近接して配置された肩部に近接するキャップの端部に係合するように位置決めされ、前記キャップ係合部が前記キャップを前記注射器外筒から離すように前記ハウジングに対して移動可能である、請求項１に記載の自己注射用器具。
【請求項１２】
前記キャップ係合部がＵ字形切り欠きを備える、請求項１１に記載の自己注射用器具。
【請求項１３】
前記ハウジングが底部と、前記底部から延びる少なくとも１つの側壁とを備え、前記カバーが前記ハウジングに前記少なくとも１つの側壁の少なくとも１つに近接して結合している、請求項１１に記載の自己注射用器具。
【請求項１４】
前記少なくとも１つの側壁が丸い形状を有する、請求項１３に記載の自己注射用器具。
【請求項１５】
前記ハウジングが、前記底部から延び、前記少なくとも１つの側壁に垂直に配置されている基端面を備える、請求項１３に記載の自己注射用器具。
【請求項１６】
前記基端面が開口部を備え、前記注射器外筒の少なくとも一部が前記注射器係合要素内に配置されるとき、前記開口部を通してプランジャの少なくとも一部を受け入れる、請求項１５に記載の自己注射用器具。
【請求項１７】
前記カバーは、前記カバーが前記閉鎖位置にあるとき、前記注射器外筒に係合する少なくとも１つの突部を有する、請求項１に記載の自己注射用器具。
【請求項１８】
前記カバーが前記基部に対して前記開放位置から前記閉鎖位置に回動するとき、前記キャップ係合部が少なくとも１つのフランジ係合部に対して移動可能である、請求項１１に記載の自己注射用器具。
【請求項１９】
前記カバーが前記閉鎖位置に移動するとき、前記注射器が係合状態に維持される、請求項１に記載の自己注射用器具。
【請求項２０】
前記フランジを受け入れる凹部と、前記少なくとも１つのフランジ係合部が係合するように構成された少なくとも１つの翼要素とを有するフランジアダプタをさらに備える、請求項１０に記載の自己注射用器具。
【請求項２１】
前記係止機構は、前記カバーが前記基部に対して前記開放位置から前記閉鎖位置に回動するとき、前記非係合位置と前記係合位置との間を移動可能である、請求項５に記載の自己注射用器具。
【請求項２２】
前記カバーが前記基部に対して前記閉鎖位置から前記開放位置の方に回動するとき、前記係止機構が前記少なくとも１つの係止突部を係脱するように前記係合位置から前記非係合位置の方に移動可能である、請求項５に記載の自己注射用器具。
【請求項２３】
前記有益な薬剤がＴＮＦ阻害剤を含む、請求項１に記載の自己注射用器具。
【請求項２４】
前記シュラウド部材の平面状の係合面が、注射中に注射部位において皮膚と係合するようにそこに形成された１以上の表面特徴を備える、請求項８に記載の自己注射用器具。
【請求項２５】
前記切り欠きがＵ字型の切り欠きを備える、請求項７に記載の自己注射用器具。
【請求項２６】
第１の端部および第２の端部を有し、かつそれらの間に長軸を画定する外筒と、前記第１の端部に近接する肩部と、前記外筒と流体連通し、かつ基端部および先端部を有し、前記外筒の第１の端部から延びる針と、前記外筒の第２の端部に近接して配置されているフランジと、前記針を覆い、かつ一端が前記肩部に近接して配置されているキャップと、前記針を通して有益な薬剤を排出するように前記外筒内を移動可能なプランジャとを備える注射器と、
自己注射用器具とを備えるキットであって、
前記自己注射用器具は、
基端部と、先端部と、注射器係合要素とを有する基部であって、前記注射器係合要素が空隙を画定し、前記針の先端部が前記基部の先端部から第１の距離だけ延びている状態で前記外筒の少なくとも一部を受け入れるように前記基部の基端部と先端部との間に配置されている基部であって、前記注射器係合要素は、前記基端部と前記先端部との間で移動するように構成され、カバー係合部を有する、基部と、
前記基部に連結したカバーであって、前記カバーは、前記基部に対して開放位置と閉鎖位置との間を回動可能であり、前記カバーは、基部係合部材を有する、カバーと、
を備え、
前記開放位置から前記閉鎖位置への前記カバーの回動に応じて、前記基部係合部材は、前記カバー係合部と係合する、キット。
【請求項２７】
前記自己注射用器具は、基端部と先端部とを有するシュラウド部材さらに備え、前記シュラウド部材の基端部は、移動可能に前記基部に連結されており、前記シュラウド部材は、前記シュラウド部材の先端部が前記基部の先端部から延出した距離である延出した位置と、前記シュラウド部材の先端部が前記基部の先端部から後退した距離である後退した位置との間を移動可能である、請求項２６に記載のキット。
【請求項２８】
前記基部は、非係合位置と係合位置との間を移動可能な係止機構をさらに備え、
前記シュラウド部材の基端部は、前記係止機構が前記係合位置にあり、前記シュラウド部材が前記後退した位置にあるとき、前記係止機構を係合するように構成された少なくとも１つの係止突部をさらに備える、請求項２６に記載のキット。